(57)【要約】【課題】データの再入力や手作業のパラメータ設定を不要とし、かつ分析・解析結果に普遍性があるパチスロ遊技機管理システムを得る。【解決手段】情報サービスプログラム９は、遊技機ホール１の当日営業終了後に、個々の遊技機ホールおけるホールコンピュータ環境２のアプリケーションプログラム５から認証後に通信手段７を介して転送される個々の遊技機ホールにおける各パチスロ遊技機ａ，ｂ，ｃに関する当日の各種データの集計を行い、個別店舗毎の固有情報１１および全店舗情報１２を顧客データベース１０に保存し、当日を含む履歴の個別店舗固有情報１１と全店舗情報１２との比較に基づいて、翌日の個々の遊技機ホール１における各パチスロ遊技機ａ，ｂ，ｃに関する翌日設定パラメータを決定し、翌日設定情報１３とともに集計データ１４を個々の遊技機ホールのホールコンピュータ環境２に送信する。【選択図】図１
2006158706.tif 000002
【特許請求の範囲】
【請求項１】
遊技機ホールの複数個のパチスロ遊技機に接続したホールコンピュータ環境を有し、このホールコンピュータ環境の管理プログラムにより各パチスロ遊技機の出玉率設定を日毎に変更するとともに、各種データを各パチスロ遊技機から収集し、遊技機ホールにおける調査分析、集客のための機種選定、営業企画立案に利用するパチスロ遊技機管理システムにおいて、
遊技機ホールの経営をサポートする情報サービス提供事業者が提供するサービスアプリケーションプログラムおよび各種データに関する履歴データベースを格納する前記ホールコンピュータ環境におけるメモリ手段と、
前記ホールコンピュータ環境に設けた通信手段と、
前記アプリケーションプログラムに基づいて、前記ホールコンピュータ環境が通信手段により通信回線を介して接続される前記情報サービス提供事業者のサーバー環境と
により構成し、
前記サーバー環境は、
前記情報サービス提供事業者のサーバー環境のメモリ手段に格納した情報サービスプログラムと、
前記情報サービス提供事業者のサポートサービスを受けるよう登録した複数の個別遊技機ホールに関する認証データを含む各種情報を格納する顧客データベースと
を有し、
前記情報サービスプログラムは、遊技機ホール当日営業終了後に、個々の遊技機ホールおけるホールコンピュータ環境のアプリケーションプログラムから認証後に転送される個々の遊技機ホールにおける各パチスロ遊技機に関する当日の各種データの集計を行い、個別店舗毎の固有情報および全店舗情報を前記顧客データベースに保存し、当日を含む履歴の個別店舗固有情報と全店舗情報との比較に基づいて、翌日の個々の遊技機ホールにおける各パチスロ遊技機に関する翌日設定パラメータを決定し、翌日設定情報とともに集計データを個々の遊技機ホールのホールコンピュータ環境に送信するものとし、
前記アプリケーションプログラムは、ホールコンピュータ環境における当日設定情報を送信された翌日設定情報に変更し、この翌日設定情報の設定パラメータで各パチスロ遊技機を設定するとともに、当日の各種集計データを前記履歴データベースに格納するものとした
ことを特徴とするパチスロ遊技機管理システム。
【請求項２】
前記情報サービスプログラムの翌日設定パラメータ変更を、個々の遊技機ホールにおける全パチスロ遊技機を同列機種毎の、出玉率範囲および稼働に関する受信データをそれぞれ高い順に昇順ランク付けし、出玉率ランク値に対して重み付け係数を２、稼働ランク値に対して重み付け係数を１とし、パチスロ遊技機の重み付け出玉率ランク値と重み付け稼働ランク値の重み付けランクポイント合計値の高い順に、出玉率を高くする設定値を降順で翌日設定値に割り当てる変更とした請求項１記載のパチスロ遊技機管理システム。
【発明の詳細な説明】
【技術分野】
【０００１】
本発明は、遊技機ホールの複数個のパチスロ遊技機に接続したホールコンピュータ環境を有し、このホールコンピュータ環境の管理プログラムにより各パチスロ遊技機の出玉率設定を日毎に変更するとともに、各種データを各パチスロ遊技機から収集し、遊技機ホールにおける調査分析、集客のための機種選定、営業企画立案に利用するパチスロ遊技機管理システムに関するものである。遊技機ホールは、パチスロ遊技機のみを設置したパチスロ専用ホールのみならず、パチスロ遊技機だけでなく、パチンコその他の遊技機も存在するホールも意味するものとする。
【背景技術】
【０００２】
本願人は、従来このようなパチスロ遊技機管理システムとして、顧客である遊技機ホールの営業終了後に、この遊技機ホールからＦＡＸで送信された各パチスロ遊技機における当日のメダル投入枚数（ＩＮ）と払い出し枚数（ＯＵＴ）のデータを、本件出願人のコンピュータ環境により、過去の遊技機データ等を考慮して分析・解析し、また翌日の各パチスロ遊技機に関する出玉率｛（ＯＵＴ／ＩＮ）×１００｝に関する設定パラメータを決定し、集計分析データおよび設定情報を遊技機ホールにＦＡＸ送信していた。
【発明の開示】
【発明が解決しようとする課題】
【０００３】
しかし、従来のパチスロ遊技機管理システムは、遊技機ホールと本件出願人のコンピュータ環境との間でデータをＦＡＸ送受信するため、本件出願人のコンピュータ環境において分析・解析する上でデータの再入力を必要とし、また遊技機ホールのコンピュータ環境におけるパラメータ設定も手作業で行わなければならなかった。
【０００４】
さらに、本件出願人のコンピュータ環境におけるパチスロ遊技機管理プログラムは、この各個の遊技機ホール自体の履歴データの基づいて分析・解析を行っていたため、分析・解析結果に関して普遍性に欠けるきらいがあった。
【０００５】
したがって、本発明の目的は、データの再入力や手作業のパラメータ設定を不要とし、かつ分析・解析結果に普遍性があるパチスロ遊技機管理システムを得るにある。
【課題を解決するための手段】
【０００６】
この目的を達成するため、本発明パチスロ遊技機管理システムは、
遊技機ホールの経営をサポートする情報サービス提供事業者が提供するサービスアプリケーションプログラムおよび各種データに関する履歴データベースを格納する前記ホールコンピュータ環境におけるメモリ手段と、
前記ホールコンピュータ環境に設けた通信手段と、
前記アプリケーションプログラムに基づいて、前記ホールコンピュータ環境が通信手段により通信回線を介して接続される前記情報サービス提供事業者のサーバー環境と
により構成し、
前記サーバー環境は、
前記情報サービス提供事業者のサーバー環境のメモリ手段に格納した情報サービスプログラムと、
前記情報サービス提供事業者のサポートサービスを受けるよう登録した複数の個別遊技機ホールに関する認証データを含む各種情報を格納する顧客データベースと
を有し、
前記情報サービスプログラムは、遊技機ホール当日営業終了後に、個々の遊技機ホールおけるホールコンピュータ環境のアプリケーションプログラムから認証後に転送される個々の遊技機ホールにおける各パチスロ遊技機に関する当日の各種データの集計を行い、個別店舗毎の固有情報および全店舗情報を顧客データベースに保存し、当日を含む履歴の個別店舗固有情報と全店舗情報との比較に基づいて、翌日の個々の遊技機ホールにおける各パチスロ遊技機に関する翌日設定パラメータを決定し、翌日設定情報とともに集計データを個々の遊技機ホールのホールコンピュータ環境に送信するものとし、
前記アプリケーションプログラムは、ホールコンピュータ環境における当日設定情報を送信された翌日設定情報に変更し、この翌日設定情報の設定パラメータで各パチスロ遊技機を設定するとともに、当日の各種集計データを前記履歴データベースに格納するものとした
ことを特徴とする。
【発明の効果】
【０００７】
本発明によれば、アプリケーションプログラムおよび情報サービスプログラムが、通信手段により通信回線を介してホールコンピュータ環境と情報サービス提供事業者のサーバー環境との間で、データの送受信を行うため、データの再入力や手作業のパラメータ設定をすることは不要となる。
【０００８】
また、情報サービス提供事業者のサーバー環境にアクセス可能な登録したすべての個別遊技機ホールのデータに基づいて個別店舗毎の固有情報および全店舗情報が得られ、分析・解析の統計データの母集団が飛躍的に拡大するため、普遍的な分析・解析結果が得られる。
【発明を実施するための最良の形態】
【０００９】
本発明の好適な実施例においては、情報サービスプログラムの翌日設定パラメータ変更を、個々の遊技機ホールにおける全パチスロ遊技機を同列機種毎の、出玉率範囲および稼働に関する受信データをそれぞれ高い順に昇順ランク付けし、出玉率ランク値に対して重み付け係数を２、稼働ランク値に対して重み付け係数を１とし、パチスロ遊技機の重み付け出玉率ランク値と重み付け稼働ランク値の重み付けランクポイント合計値の高い順に、出玉率を高くする設定値を降順で翌日設定値に割り当てる変更とする。
【００１０】
次に、図面につき、本発明の好適な実施例を詳細に説明する。
【実施例】
【００１１】
図１は、本発明によるパチスロ遊技機管理システムの概念を示す説明図である。本発明によれば、図１に示す遊技機ホール１のホールコンピュータ環境２と、遊技機ホール１と同様の図示しない多数の個別遊技機ホールのホールコンピュータ環境と、これら複数の遊技機ホールがユーザー登録している情報サービス提供事業者３のサーバー環境４とにより構成される。
【００１２】
個々の遊技機ホール１のホールコンピュータ環境２は、機種毎に列状に配列した複数個のパチスロ遊技機ａ１，ａ２,..,ａ５／ｂ１，ｂ２,..,ｂ５等に接続する。このホールコンピュータ環境２はメモリ手段に格納した管理プログラムにより各パチスロ遊技機の出玉率設定を日毎に変更するとともに、各種データを各パチスロ遊技機から収集し、遊技機ホール１における調査分析、集客のための機種選定、営業企画立案に利用する。
【００１３】
本発明によれば、メモリ手段には、遊技機ホール１の経営をサポートする管理プログラムとして、情報サービス提供事業者２が提供するサービスアプリケーションプログラム５と、各種データに関する履歴データベース６等を格納する。このサービスアプリケーションプログラム５は、図示しないが、ホールコンピュータ環境２のＬＡＮに組み込む情報サービス提供事業者２が用意したＰＣのメモリ手段に格納したものとすることもできる。
【００１４】
ホールコンピュータ環境２は、アプリケーションプログラム５に基づいて、通信手段７により、通信回線例えば、インターネット８を介して情報サービス提供事業者３のサーバー環境４に接続する。
【００１５】
情報サービス提供事業者３のサーバー環境４は、サーバー環境のメモリ手段に格納した情報サービスプログラム９と、情報サービス提供事業者のサポートサービスを受けるよう登録した複数の個別遊技機ホール１等に関する認証データを含む各種情報を格納する顧客データベース１０Ａおよび集計データの履歴データベース１０Ｂとを有する。
【００１６】
情報サービスプログラム９は、遊技機ホール当日営業終了後に、個々の遊技機ホール１おけるホールコンピュータ環境２のアプリケーションプログラム５から、顧客データベース１０を参照して認証後に転送される個々の遊技機ホール１における各パチスロ遊技機に関する当日の各種データの集計を行う。
【００１７】
さらに、情報サービスプログラム９は、個別遊技機ホール毎の個別店舗固有情報１１および全店舗情報１２を履歴データベース１０Ｂに保存し、当日を含む履歴の個別店舗固有情報と全店舗情報との比較に基づいて、翌日の個々の遊技機ホール１における各パチスロ遊技機に関する翌日設定パラメータを決定し、翌日設定情報１３とともに集計データ１４を個々の遊技機ホール１のホールコンピュータ環境２に、通信回線例えば、インターネット８を介して送信する。
【００１８】
個々の遊技機ホール１のホールコンピュータ環境２におけるアプリケーションプログラム５は、ホールコンピュータ環境２における当日の設定情報を送信された翌日設定情報１３に変更し、この翌日設定情報１３の設定パラメータで各パチスロ遊技機ａ１，ａ２,..,ａ５／ｂ１，ｂ２,..,ｂ５等を設定する。さらに、アプリケーションプログラム５に基づいて、情報サービス提供事業者３のサーバー環境４から送信された当日の各種集計データを履歴データベース６に格納する。
【００１９】
情報サービス提供事業者３のサーバー環境４におけるの翌日設定パラメータ変更は、個々の遊技機ホール１における全パチスロ遊技機を同列機種毎の、出玉率（{ＩＮ枚数／ＯＵＴ枚数}×１００）の範囲および稼働（ＩＮ枚数）の受信データをそれぞれ高い順に昇順ランク付けし、出玉率ランク値に対して重み付け係数を２、稼働ランク値に対して重み付け係数を１とし、パチスロ遊技機の重み付け出玉率ランク値と重み付け稼働ランク値の重み付けランクポイント合計値の高い順に、出玉率を高くする設定値を降順で翌日設定値に割り当てる変更とする。
【００２０】
図２（ａ）は、出玉率範囲の例を示し、
図２（ｂ）は、ある機種における台番毎の稼働（ＩＮ枚数）、出玉率、出玉率ランク、稼働ランク、重み計算結果の各ランク、ランクポイント合計の例を示し、
図２（ｃ）は、設定ランク（設定パラメータを高い設定値にすると台の出玉率が高くなる設定）に対する割り当て台数の関係を示し、
図２（ｄ）は、左にランクポイント合計の高い順に台番を並べ、図２の（ｃ）の割り当て関係に基づいて設定値を付与した結果を示し、右にこの結果に基づいて台番順に並べ替えをして各台番の設定パラメータを示す。図示の実施例では、台数は５台で、ランク数が５として説明したが、この数は、遊技機ホール毎に変化することは勿論である。
【００２１】
情報サービスプログラム９は、図２（ａ）における各ランク値における出玉率範囲を、全店舗情報の当日を含む履歴に基づき、全体的に利益が確保できるようにシミュレーションを行って変更する。
【００２２】
また、集計データの履歴から、利益が出る台はどれか、撤去対象機種はどれか、適切な台選定、営業戦略の立案が可能になる。これによって、遊技機ホールに対する遊技機利用者の人気を落とさず、しかも営業利益を出すことが可能になる。
【産業上の利用可能性】
【００２３】
本発明パチスロ遊技機管理システムは、パチスロ遊技機業界の遊技機ホールの保守・管理に利用することができる。
【図面の簡単な説明】
【００２４】
【図１】本発明パチスロ遊技機管理システムの概念を示す説明図である。
【図２】（ａ）は出玉率範囲の例を示す表、（ｂ）はある機種における台番毎の稼働（ＩＮ枚数）、出玉率、出玉率ランク、稼働ランク、重み計算結果の各ランク、ランクポイント合計の例を示す表、（ｃ）は設定ランク（設定パラメータを高い設定値にすると台の出玉率が高くなる設定）に対する割り当て台数の関係を示す表、（ｄ）は左にランクポイント合計の高い順に台番を並べ、（ｃ）の割り当て関係に基づいて設定値を付与した結果を示し、右にこの結果に基づいて台番順に並べ替えをして各台番の設定パラメータを示す表である。
【符号の説明】
【００２５】
１  遊技機ホール
２  ホールコンピュータ環境
３  情報サービス提供事業者
４  サーバー環境
５  サービスアプリケーションプログラム
６  履歴データベース
７  通信手段
８  通信回線例えば、インターネット
９  情報サービスプログラム
10Ａ  顧客データベース
10Ｂ  履歴データベース
１１  個別店舗固有情報
１２  全店舗情報
１３  翌日設定情報
１４  集計データ
ａ１，ａ２，ａ３，．．．，ａＮ  機種ａのパチスロ遊技機
ｂ１，ｂ２，ｂ３，．．．，ｂＮ  機種ｂのパチスロ遊技機
【図１】
2006158706.tif 000003
【図２】
2006158706.tif 000004